(57)【要約】      （修正有）【課題】模擬銃として現行品程度の威力を維持しながら、年少者でも比較的容易にコッキング操作を行えるコッキング負荷の軽減装置を提供する。【解決手段】ハンマーを起してストッパーに係止させるとともに、ハンマーと連動するピストンシリンダー装置のスプリングを蓄圧し、トリガーを引いてストッパーの係止を解除し、スプリングの蓄圧を解放することでピストンシリンダー装置により圧縮エアを生成し、圧縮エアにより弾丸を発射させる模擬銃において、ハンマー２４を起してコッキング操作を開始する際の負荷を軽減するために、ピストンシリンダー装置１７の作動部材に作用するスプリングとして非線形ばね２０を用いる。【選択図】図１
0003175969.tif 000002
【実用新案登録請求の範囲】
【請求項１】
ハンマーを起してストッパーに係止させるとともに、ハンマーと連動するピストンシリンダー装置のスプリングを蓄圧し、トリガーを引いて上記ストッパーの係止を解除し、上記スプリングの蓄圧を解放することでピストンシリンダー装置により圧縮エアを生成し、上記圧縮エアにより弾丸を発射させる模擬銃において、
ハンマーを起してコッキング操作を開始する際の負荷を軽減するために、ピストンシリンダー装置の作動部材に作用するスプリングとして非線形ばねを用いたことを特徴とする
コッキング負荷の軽減装置。
【請求項２】
ハンマーとピストンシリンダー装置のピストンは連結部材により連結し、非線形ばねはその一端側にてピストンシリンダー装置の固定側に支持させるとともに、他端側にて上記ピストンに作用するように構成され、上記非線形ばねとして不等ピッチコイルを用いたことを特徴とする
請求項１記載の模擬銃におけるコッキング負荷の軽減装置。
【考案の詳細な説明】
【技術分野】
【０００１】
本考案は、模擬銃においてハンマーを起すコッキング操作の際、その負荷特性を軽減するための装置に関するものである。
【背景技術】
【０００２】
いわゆるエアガンに分類される模擬銃には、ハンマーを起す操作でピストンシリンダー装置のスプリングを蓄圧し、トリガーを引く操作で上記スプリングの蓄圧を解放し、それに伴って生成された圧縮エアにより弾丸を発射するタイプのものがある。例えば、実開平２‐１４７６９３号は、このタイプに属するリボルバー拳銃の技術を開示したものであ
る。
【０００３】
しかしながら、上記の考案に適用されている戻しバネは一定の巻ピッチで構成された、ばね特性が線形のコイルばねであり、ハンマーを起すコッキング操作時の負荷は最初から最後まで一定である。しかも、ハンマーを起す操作を親指１本で行わなければならず、そのため、年少者が使用する場合、思うように操作できず、両手で支えてコッキングをしなければならないようなことが起こる。
【０００４】
模擬銃はその威力等によって、１０歳以上或いは１８歳以上などと区分されている。上記のタイプの模擬銃は、１０歳以上用の模擬銃に多用され、一般的に力の弱い者が扱うことも多いのであるが、しかし、年少者にとって扱い易いものとはいえない。より弱いスプリングを使用すれば操作性も改善されるであろうが、模擬銃として魅力のないものとなることを考慮すると、現行品程度の威力は必要と考えられるからである。
【０００５】
【特許文献１】実開平２‐１４７６９３号
【考案の開示】
【考案が解決しようとする課題】
【０００６】
本考案は前記の実情に鑑みてなされたもので、その課題は、模擬銃として現行品程度の威力を維持しながら、年少者でも比較的容易にコッキング操作を行えるようにすることである。また、本考案の他の課題は、現行品の構造を大きく変更することなく容易に扱えるようにした模擬銃におけるコッキング負荷の軽減装置を提供することである。
【課題を解決するための手段】
【０００７】
前記の課題を解決するため、本考案は、ハンマーを起してストッパーに係止させるとともに、ハンマーと連動するピストンシリンダー装置のスプリングを蓄圧し、トリガーを引いて上記ストッパーの係止を解除し、上記スプリングの蓄圧を解放することでピストンシリンダー装置により圧縮エアを生成し、上記圧縮エアにより弾丸を発射させる模擬銃において、ハンマーを起してコッキング操作を開始する際の負荷を軽減するために、ピストンシリンダー装置の作動部材に作用するスプリングとして非線形ばねを用いるという手段を講じたものである。
【０００８】
本考案の模擬銃は、上記のとおりハンマーを起してストッパーに係止させるとともに、ハンマーと連動するピストンシリンダー装置のスプリングを蓄圧し、トリガーを引いて上記ストッパーの係止を解除し、上記スプリングの蓄圧を解放することでピストンシリンダー装置により圧縮エアを生成し、上記圧縮エアにより弾丸を発射させる構成を有するものである。この基本的構成は、現行品のエアガンに共通である。
【０００９】
その構成において、本考案のものは、ハンマーを起してコッキング操作を開始する際の負荷を軽減するために、ピストンシリンダー装置の作動部材に作用するスプリングとして非線形ばねを用いる。非線形ばねは、例えば、ばね特性が強弱異なる複数のばねから成
り、弱いばね（バネ定数の小さいばね）の方から先に変形するという特徴を有する。非線形ばねは、大別すると、巻きピッチを粗密に変化させた不等ピッチコイルと、巻き径を変化させたテーパーコイルがある。それらは成形方法が相違するので、製造コストなどにも反映するがどちらも本考案に適用することができる。
【００１０】
非線形ばねを使用し、初期の負荷を小さくすることによって、ハンマーを容易に動かせるようになる。その結果、年少者でも力を込め易くなり、一旦動き始めれば、その後負荷が増しても操作を継続することはより容易である。従って、操作全体として見れば、線形ばねを使用した場合と比較して、コッキング操作を容易にすることができるという意図である。なお、線形ばねと非線形ばねとは、たわみ量と荷重が同一の条件での比較である。
【００１１】
本考案の装置として、上記ハンマーとピストンシリンダー装置のピストンは連結部材を用いて連結し、非線形ばねはその一端側にてピストンシリンダー装置の固定側に支持させるとともに、他端側にて上記ピストンに作用するように構成し、上記非線形ばねとして不等ピッチコイルを用いた構成は、好ましいものである。
【００１２】
しかし、ピストンシリンダー装置の構成要素であるシリンダーとピストンのどちらを固定とし、どちらを可動とするかは自由に選択できる事項である。また、不等ピッチコイルは非線形ばねとして、より安価なため採用し易いが、テーパーコイルばねには形状をよりコンパクトにすることができるという利点もあるので、ばねの種類なども状況に応じて選択可能な事項である。
【考案の効果】
【００１３】
本考案は以上のように、ハンマーを起してコッキング操作を開始する際の負荷を軽減するために、ピストンシリンダー装置の作動部材に作用するスプリングとして非線形ばねを用いたものであるから、模擬銃として現行品程度の威力を維持しながら、年少者でも比較的容易にコッキング操作を行えるようになるという効果を奏する。また、本考案によれ
ば、非線形ばねを用いることで、現行品の構造を大きく変更することなく容易に扱えるようにした模擬銃におけるコッキング負荷の軽減装置を提供することができる。
【考案を実施するための最良の形態】
【００１４】
以下図示の実施形態を参照して本考案をより詳細に説明する。図１は本考案に係るコッキング負荷の軽減装置を適用した模擬銃１０の一例を示しており、モデルはリボルバー型の拳銃である。図において、符号１１はバレル、１２は貫通路から成る数個の装填部を有する弾倉、１３は上記装填部に装填したカートリッジである。弾丸Ｂはカートリッジ１３の装填部に装填された状態で発射まで定位置に保持され、後端のエア噴出口１４から噴出する圧縮エアにより銃口から発射される。
【００１５】
上記エア噴出口１４の後側にはノズル１５が配置されており、ノズル１５はパイプから成るエア流路１６によりピストンシリンダー装置１７に接続されている。ピストンシリンダー装置１７は銃本体のグリップ部分の下部に配置されたシリンダー１８とピストン１９とから成る。この実施形態では、シリンダー１８を銃本体側に固定し、ピストン１９をシリンダー１８に対して可動の作動部材としている。
【００１６】
ピストンシリンダー装置１７の作動部材に作用するスプリングとして、非線形ばね２０が、ピストン１９の内部に配置されている。即ち、非線形ばね２０は、その一端側にてピストンシリンダー装置１７の固定側であるシリンダー１８に支持させるとともに、他端側にて可動側であるピストン１９に作用するように構成されている。
【００１７】
上記シリンダー１８の側壁には所定の長さのスリット１８ａが形成されおり、ここからピストン１９の側方に設けた突片１９ａが外部に突出し、後述するハンマー２４との連繋作動に伴う所要のストロークでの往復動を可能にしている。なお、２０ａは支柱であり、非線形ばね２０配置するためにシリンダー１８の底部に設けられている。
【００１８】
この実施形態における非線形ばね２０は、図２、図３に詳細に記載されているように、巻きピッチを一端側２１で密に、他端側２２では粗に変化させたものである。図示の実施形態の場合、密に巻かれた部分Ａと粗に巻かれた部分Ｂとの間にピッチが徐々に変化する部分Ｃが配置されている。よって、ばね特性は緩やかに立ち上がる初期と、より急に立ち上がる終期とを繋ぐ中間の遷移部分Ｃが介在するので、負荷の急変を生じることがない。
【００１９】
本考案における銃本体は、リボルバー型の拳銃に見られるトリガー２３とハンマー２４を有する発射機構を具備している。トリガー２３は銃本体に支軸２３ａにて軸支されるとともに、送り爪２５と送り止めから成る弾倉１２を回転させる機構を有している。また、ハンマー２４は支軸２４ａにて銃本体に軸支され、操作用の指当て部２６、係止部２７を有している。上記係止部２７には、トリガー２３によって操作されるストッパー２８が係止する。
【００２０】
図１中、２９は連結部であり、ハンマー２４の後部に位置し、前述したピストン１９の突片１９ａと連結部材３０により連結されている。なお、トリガー２３、ハンマー２４、送り爪２５、ストッパー２８などには、夫々戻しばねが取り付けられ、定位置に向けて付勢されている。
【００２１】
このような構成を有する本考案の装置による作用を説明する。図４は、弾倉内のカートリッジ１３に弾丸Ｂが装填された状態を示しており、この状態から指当て部２６に親指を当て、ハンマー２４を起して係止部２７にストッパー２８に係止させる。それに伴って、ハンマー２４と連動するピストンシリンダー装置１７の非線形ばね２０が蓄圧され、発射準備を完了した状態となる（図５）。
【００２２】
上記のハンマー２４を起す操作において、指当て部２６に加えた力は連結部材３０を介してピストン１９に作用し、これを非線形ばね２０の付勢力に抗して弾圧する。操作力を受けたとき、不等ピッチコイルから成る非線形ばね２０はばね定数の小さい方から圧縮されるので、同一たわみ量、同一荷重であれば、線形ばねよりも弱い力で圧縮が開始されることになる。よって、ハンマー２４を動かす初期の操作が容易になり、途中で負荷の急変を生じることなくストッパー２８に係止させ、全体として線形ばねによるときよりも容易にコッキングを完了することができる。
【００２３】
コッキングを完了した後は、トリガー２３を引くとストッパー２８の係止が解除され、非線形ばね２０の蓄圧が解放される。その結果、ピストン１９が瞬時に作動して圧縮エアが生成され、ノズル１５からそれと気密に接続されているカートリッジ１３の内部に噴射されるので、その前方にゴム片などを用いて保持されている弾丸Ｂを銃口から発射することができる。なお、弾丸Ｂの保持は、カートリッジ内部の後方にて行う方式もある。
【００２４】
上記のように、本考案によればコッキング操作の特に初期の負荷（操作力）が軽減されるので、手が小さく、力を込めにくい年少者でも、ハンマー２４によるコッキング操作をより容易に行なうことができるようになる。故に、本考案の装置では、非線形ばね２０として、従来の線形ばねと同じばね強さをもち、かつ、寸法もほぼ同等のもので良いので、現行品の構造を大きく変更する必要がない。なお、上記の例では、非線形ばね２０を圧縮ばねとして使用する形態を説明したが、引張りばねとして使用することも可能であり、その場合にも上記説明と同様の作用及び効果を得ることができる。
【図面の簡単な説明】
【００２５】
【図１】本考案に係る模擬銃におけるコッキング負荷の軽減装置の一例を示す側面説明図である。
【図２】同上の装置に用いる非線形ばねの一例を示す斜視図である。
【図３】同じく非線形ばねの正面図である。
【図４】同上の装置の作用を示すもので、発射操作前の状態の部分側面図である。
【図５】同じく発射操作を完了した状態の部分側面図である。
【符号の説明】
【００２６】
１０  模擬銃
１１  バレル
１２  弾倉
１３  カートリッジ
１４  エア噴出口
１５  ノズル
１６  エア流路
１７  ピストンシリンダー装置
１８  シリンダー
１９  ピストン
２０  非線形ばね
２１  一端側
２２  他端側
２３  トリガー
２４  ハンマー
２５  送り爪
２６  指当て部
２７  係止部
２８  ストッパー
２９  連結部
３０  連結部材
【図１】
0003175969.tif 000003
【図２】
0003175969.tif 000004
【図３】
0003175969.tif 000005
【図４】
0003175969.tif 000006
【図５】
0003175969.tif 000007